(57)【要約】【課題】カバーピースの端部同士がスライドファスナによって連結されるシートカバーを備えた乗物用シートにおいて、見栄えの良い乗物用シートを提供する。【解決手段】バックカバー１３を構成する複数のカバーピースのうち、カバー側部１３ｂの後縁部１３ｂ３と、カバー背面側部１３ｅの外縁部１３ｅ１と、がスライドファスナＦ１によって連結されている。スライドファスナＦ１は、後縁部１３ｂ３と外縁部１３ｅ１に直接的に取付けられた複数のエレメント２０によって形成されている。【選択図】図２
2019026192.tif 000002
【特許請求の範囲】
【請求項１】
乗物用シートであって、
シートカバーを構成する複数のカバーピースのうち少なくとも一部のカバーピースの端部同士が、スライドファスナによって連結されており、
該スライドファスナは前記少なくとも一部のカバーピースの前記端部に直接的に取付けられた複数のエレメントによって形成されている乗物用シート。
【請求項２】
請求項１において、前記少なくとも一部のカバーピースの前記端部は、延長部が折り線で裏面側に折り返されて形成され、前記複数のエレメントは前記折り線を前記少なくとも一部のカバーピースの面に垂直な方向に挟んだ状態で取付けられている乗物用シート。
【請求項３】
請求項２において、前記少なくとも一部のカバーピースの前記折り線に沿った前記複数のエレメントが取付けられる部分はプレスされて薄肉化されている乗物用シート。
【請求項４】
請求項２又は請求項３において、前記スライドファスナによって連結された状態で、前記延長部は、それぞれ、互いに離隔する方向に延ばされて形成され、該延長部の先端部のそれぞれに一端部と他端部が連結された柔軟な面状体が設けられ、該面状体と前記延長部によって袋状のポケットが形成されている乗物用シート。
【発明の詳細な説明】
【技術分野】
【０００１】
本発明は、乗物用シートに関するものである。
【背景技術】
【０００２】
従来、カバーピースの端部同士がスライドファスナによって連結されるシートカバーを備えた乗物用シートが知られている。特許文献１に記載の乗物用シートでは、シートバックの側部に対応するカバーピースの端部と、シートバックの後部に対応するカバーピースの端部との間がスライドファスナによって連結されている。ここで、それぞれのカバーピースの端部には、エレメントが取付けられたテープが縫合されることでスライドファスナが取付けられている。
【先行技術文献】
【特許文献】
【０００３】
【特許文献１】特開２０１２−１９８２３号公報
【発明の概要】
【発明が解決しようとする課題】
【０００４】
特許文献１に記載の技術においては、カバーピースとエレメントの間にテープが介在する。これによって、カバーピースとテープは、材質や厚み、色等が異なるため見栄えの悪化という問題を引き起こすおそれがあった。
【０００５】
このような問題に鑑み本発明の課題は、カバーピースの端部同士がスライドファスナによって連結されるシートカバーを備えた乗物用シートにおいて、見栄えの良い乗物用シートを提供することにある。
【課題を解決するための手段】
【０００６】
本発明の第１発明は、乗物用シートであって、シートカバーを構成する複数のカバーピースのうち少なくとも一部のカバーピースの端部同士が、スライドファスナによって連結されており、該スライドファスナは前記少なくとも一部のカバーピースの前記端部に直接的に取付けられた複数のエレメントによって形成されていることを特徴とする。
【０００７】
第１発明によれば、カバーピースとエレメントとの間にテープ等の材質、厚み、色等が異なる素材が介在しないためスライドファスナによるカバーピースの連結部の見栄えが向上する。また、カバーピースとテープとの縫製作業を省くことができる。
【０００８】
本発明の第２発明は、上記第１発明において、前記少なくとも一部のカバーピースの前記端部は、延長部が折り線で裏面側に折り返されて形成され、前記複数のエレメントは前記折り線を前記少なくとも一部のカバーピースの面に垂直な方向に挟んだ状態で取付けられていることを特徴とする。
【０００９】
第２発明によれば、カバーピースに取付けられたそれぞれのエレメントの間からカバーピースの木端が見えることがなくなり見栄えがさらに向上する。
【００１０】
本発明の第３発明は、上記第２発明において、前記少なくとも一部のカバーピースの前記折り線に沿った前記複数のエレメントが取付けられる部分はプレスされて薄肉化されていることを特徴とする。
【００１１】
第３発明によれば、カバーピースの複数のエレメントが取付けられる部分はプレスされて薄肉化されているので複数のエレメントを大型化する必要を抑制できる。
【００１２】
本発明の第４発明は、上記第２発明又は上記第３発明において、前記スライドファスナによって連結された状態で、前記延長部は、それぞれ、互いに離隔する方向に延ばされて形成され、該延長部の先端部のそれぞれに一端部と他端部が連結された柔軟な面状体が設けられ、該面状体と前記延長部によって袋状のポケットが形成されていることを特徴とする。
【００１３】
第４発明によれば、延長部を利用してシートカバーに袋状のポケットを設けることができスライドファスナの開閉により小物入れとして利用することができる。
【図面の簡単な説明】
【００１４】
【図１】本発明の一実施形態にかかる自動車用シートを斜め後方から見た斜視図である。
【図２】上記実施形態にかかる自動車用シートにおいて、スライドファスナによって連結されるカバーピースの平面図である。
【図３】図２におけるＩＩＩ部分を拡大して示す図である。
【図４】図３におけるＩＶ−ＩＶ矢視線断面図である。
【図５】図１におけるＶ−Ｖ矢視線断面図である。
【図６】他の実施形態を示す図４に対応する断面図である。
【発明を実施するための形態】
【００１５】
図１〜図５は、本発明の一実施形態を示す。本実施形態は、自動車用シートのシートバックに本発明を適用した例である。各図中、矢印により自動車用シートを自動車に取付けたときの自動車及び自動車用シートの各方向を示している。以下の説明において、方向に関する記述は、この方向を基準として行うものとする。本実施形態の自動車用シート１は、着座部となるシートクッション２と、背凭れとなるシートバック１０と、頭部を支持するヘッドレスト３を備える。シートクッション２、ヘッドレスト３については、公知の構成のものであるので説明を省略し、シートバック１０について説明していく。ここで、自動車用シート１が特許請求の範囲の「乗物用シート」に相当する。
【００１６】
図１に示すように、シートバック１０は、その骨格を成すバックフレーム１１の上にクッション材である発泡ウレタン製のバックパッド１２を載置し、その上から表皮材であるバックカバー１３で覆った構造をしている。バックフレーム１１、バックパッド１２については、公知の構成のものであるので説明を省略し、バックカバー１３について説明していく。ここで、バックカバー１３が、特許請求の範囲の「シートカバー」に相当する。
【００１７】
図１に示すように、バックカバー１３は、裁断した表皮材のピースであるカバーピースを縫い合わせて袋状に形成したものである。表皮材としては、布帛や皮革等の表皮が単品として用いられるが、表皮に対してウレタン製のスラブパッドと、綿布や不織布製の裏基布と、をこの順に積層してラミネートした面状体として使用してもよい。カバーピースとしては次のものがある。シートバック１０の着座面に対応するカバー前面部（図示せず）と、シートバック１０の上部を覆うカバー上部１３ａと、シートバック１０の左右側部を覆うカバー側部１３ｂと、シートバック１０の背面中央上部を覆うカバー背面中央上部１３ｃと、シートバック１０の背面中央下部を覆うカバー背面中央下部１３ｄと、シートバック１０の背面側部を覆うカバー背面側部１３ｅと、である。各カバーピースは、隣接する端部同士が縫い合わされるか、又はスライドファスナによって連結されて一体化され下方に開口を有する袋状に形成されている。ここで、カバー側部１３ｂ、カバー背面側部１３ｅ、カバー背面中央上部１３ｃ及びカバー背面中央下部１３ｄが、特許請求の範囲の「少なくとも一部のカバーピース」に相当する。
【００１８】
図１及び図２に示すように、カバー側部１３ｂは、カバー上部１３ａと縫製で連結される上縁部１３ｂ１と、カバー前面部と縫製で連結される前縁部１３ｂ２と、カバー背面側部１３ｅとスライドファスナＦ１で連結される後縁部１３ｂ３と、いずれのカバーピースとも連結されない下縁部１３ｂ４と、を有する。カバー背面側部１３ｅは、カバー側部１３ｂとスライドファスナＦ１で連結される外縁部１３ｅ１と、カバー背面中央上部１３ｃ及びカバー背面中央下部１３ｄと縫製で連結される内縁部１３ｅ２と、いずれのカバーピースとも連結されない下縁部１３ｅ３と、を有する。
【００１９】
図３及び図４に示すように、カバー側部１３ｂの後縁部１３ｂ３は、カバー側部１３ｂ
を構成する表皮材の延長部１３ｂ３１が折り線１３ｂ３２で右方に（裏面側に）折り返されて形成されている。すなわち、後縁部１３ｂ３と折り線１３ｂ３２とは一致している。エレメント２０は、基端部２１と噛合部２２とを有しポリエステル樹脂やナイロン樹脂等の熱可塑性樹脂で形成されている。基端部２１は、略直方体状に形成され噛合部２２と反対側に開口するスリット２１ａが設けられている。噛合部２２は、頭部２２ａと、頭部２２ａと基端部２１との間のくびれ部２２ｂと、を有し、エレメント２０が噛合部２２を対向させて配置されたとき、対向するエレメント２０の頭部２２ａがくびれ部２２ｂに嵌合するように形成されている。カバー側部１３ｂの後縁部１３ｂ３にエレメント２０の基端部２１が上下方向に所定ピッチで連結されている。具体的には、各基端部２１のスリット２１ａの中に後縁部１３ｂ３の折り線１３ｂ３２が挿入されて、各基端部２１が折り線１３ｂ３２を左右方向に（カバー側部１３ｂの面に垂直な方向に）挟むように連結されている。なお、延長部１３ｂ３１の左右方向の幅は、エレメント２０の基端部２１の端から噛合部２２の端までの長さと同じ程度とされている。製造方法としては、複数の所定ピッチで並ぶエレメント２０の外形形状のキャビティを有する金型のキャビティ内にカバー側部１３ｂの後縁部１３ｂ３を配置して、各エレメント２０をインジェクション成形する方法を採る。このとき、後縁部１３ｂ３からスリット２１ａに挿入される部分の長さ分の左右方向幅領域のカバー側部１３ｂを熱プレスによって薄肉化しておくことが望ましい。特に、厚肉の表皮やスラブパッドがラミネートされている表皮材でカバー側部１３ｂが形成されている場合には、スリット２１ａの左右方向の幅を大きくするためにエレメント２０を大型化しなくて済むので有利である。なお、予めインジェクション成形した複数のエレメント２０のスリット２１ａに、カバー側部１３ｂの後縁部１３ｂ３を挿入した状態でエレメント２０を加熱して後縁部１３ｂ３に融着させる方法を採ってもよい。ここで、後縁部１３ｂ３が、特許請求の範囲の「端部」に相当する。
【００２０】
図３及び図４に示すように、カバー背面側部１３ｅの外縁部１３ｅ１は、カバー背面側部１３ｅを構成する表皮材の延長部１３ｅ１１が折り線１３ｅ１２で右方に（裏面側に）折り返されて形成されている。すなわち、外縁部１３ｅ１と折り線１３ｅ１２とは一致している。延長部１３ｅ１１の左右方向の幅は、延長部１３ｂ３１の左右方向の幅と同じ程度とされている。カバー背面側部１３ｅの外縁部１３ｅ１にもエレメント２０の基端部２１が、スリット２１ａの中に外縁部１３ｅ１が挿入されて、折り線１３ｅ１２を左右方向に（カバー背面側部１３ｅの面に垂直な方向に）挟むように所定ピッチで連結されている。製造方法は、カバー側部１３ｂに対するエレメント２０の形成のし方と同様である。ここで、外縁部１３ｅ１が、特許請求の範囲の「端部」に相当する。
【００２１】
図３及び図４に示すように、カバー側部１３ｂの後縁部１３ｂ３に配設された各エレメント２０の列と、カバー背面側部１３ｅの外縁部１３ｅ１に配設された各エレメント２０の列と、はスライダー（図示せず）を往復動作させることにより開閉するスライドファスナＦ１として機能する。具体的には、スライダーの往動作により後縁部１３ｂ３に配設された各エレメント２０の頭部２２ａが外縁部１３ｅ１に配設された各エレメント２０のくびれ部２２ｂに嵌合するとともに、外縁部１３ｅ１に配設された各エレメント２０の頭部２２ａが後縁部１３ｂ３に配設された各エレメント２０のくびれ部２２ｂに嵌合する。この状態が、スライドファスナＦ１を閉じた状態であり、カバー側部１３ｂの後縁部１３ｂ３とカバー背面側部１３ｅの外縁部１３ｅ１は連結された状態となる。図１にこの状態を示す。具体的には、スライドファスナＦ１を開いた状態でバックカバー１３を製造し、バックフレーム１１に取付けられたバックパッド１２に上方から被せつける。バックカバー１３の製造においては、カバー側部１３ｂの上縁部１３ｂ１はカバー上部１３ａと、前縁部１３ｂ２はカバー前面部と縫製により連結される。カバー背面側部１３ｅの内縁部１３ｅ２は、カバー背面中央上部１３ｃ及びカバー背面中央下部１３ｄと縫製により連結される。さらに、カバー前面部、カバー上部１３ａ、カバー背面中央上部１３ｃも縫製により連結される。なお、カバー背面中央上部１３ｃとカバー背面中央下部１３ｄとの間のスライドファスナＦ２による連結部分については後述する。このとき、スライダーはスライドファスナＦ１の上部に取付けられているようにする。スライダーは、予めスライドファスナＦ１の上端部側を嵌合させてそこに取付けておく。そして、スライダーを上方から下方に降ろしてスライドファスナＦ１を閉じた状態にすることによってシートバック１０が完成する。
【００２２】
図５に示すように、カバー背面中央上部１３ｃとカバー背面中央下部１３ｄとの間には、ポケットティッシュ等の小物を入れる袋状のポケットＰが形成されている。カバー背面中央上部１３ｃの下縁部１３ｃ１は、折り線１３ｃ１２とされて上方に向けて延長部１３ｃ１１が設けられている。延長部１３ｃ１１の上下方向の幅は延長部１３ｂ３１及び延長部１３ｅ１１と比べて長めのものとされている。そして、カバー背面中央上部１３ｃの下縁部１３ｃ１にもエレメント２０の基端部２１が、スリット２１ａの中に下縁部１３ｃ１が挿入されて、折り線１３ｃ１２を前後方向に（カバー背面中央上部１３ｃの面に垂直な方向に）挟むように左右方向に所定ピッチで連結されている。製造方法は、カバー側部１３ｂやカバー背面側部１３ｅに対するエレメント２０の形成のし方と同様である。また、カバー背面中央下部１３ｄの上縁部１３ｄ１は、折り線１３ｄ１２とされて下方に向けて延長部１３ｄ１１が設けられている。延長部１３ｄ１１の前後方向の幅は、延長部１３ｃ１１と同様に延長部１３ｂ３１及び延長部１３ｅ１１と比べて長めのものとされている。そして、カバー背面中央下部１３ｄの上縁部１３ｄ１にもエレメント２０の基端部２１が、スリット２１ａの中に上縁部１３ｄ１が挿入されて、折り線１３ｄ１２を前後方向に（カバー背面中央下部１３ｄの面に垂直な方向に）挟むように左右方向に所定ピッチで連結されている。製造方法は、カバー側部１３ｂやカバー背面側部１３ｅに対するエレメント２０の形成のし方と同様である。カバー背面中央上部１３ｃの下縁部１３ｃ１に配設された各エレメント２０の列と、カバー背面中央下部１３ｄの上縁部１３ｄ１に配設された各エレメント２０の列と、はスライダー（図示せず）を往復動作させることにより開閉するスライドファスナＦ２として機能する。スライドファスナＦ２は、スライドファスナＦ１と実質的に同じものである。延長部１３ｃ１１の上端部と延長部１３ｄ１１の下端部には、それぞれ、柔軟な面状部材であるバックカバー１３の表皮材と同じ材質のポケット裏部１３ｆの上端部と下端部が縫製により連結されている。延長部１３ｃ１１と延長部１３ｄ１１の左右端部は、それぞれ、ポケット裏部１３ｆの左右端部と縫製により連結されている。これによって、スライドファスナＦ２の開閉により開閉の可能なポケットＰが形成されている。バックカバー１３の製造においては、延長部１３ｃ１１と延長部１３ｄ１１にポケット裏部１３ｆを縫製で連結した状態でスライドファスナＦ２を閉じた状態として、カバー背面中央上部１３ｃとカバー背面中央下部１３ｄをカバー背面側部１３ｅに縫製により連結する。ここで、下縁部１３ｃ１と上縁部１３ｄ１が、それぞれ、特許請求の範囲の「端部」に相当する。また、ポケット裏部１３ｆが、特許請求の範囲の「面状体」に相当する。さらに、ポケット裏部１３ｆの上端部と下端部が、それぞれ、特許請求の範囲の「一端部」と「他端部」に相当する。
【００２３】
以上のように構成される本実施形態は、以下のような作用効果を奏する。カバー側部１３ｂの後縁部１３ｂ３とカバー背面側部１３ｅの外縁部１３ｅ１は、直接的に所定ピッチで取付けられた複数のエレメント２０で形成されるスライドファスナＦ１によって連結されている。これによって、後縁部１３ｂ３及び外縁部１３ｅ１と、エレメント２０と、の間にテープ等の材質、厚み、色等が異なる素材が介在しないためスライドファスナＦ１による後縁部１３ｂ３と外縁部１３ｅ１の連結部の見栄えが向上する。また、後縁部１３ｂ３及び外縁部１３ｅ１とテープとの縫製作業を省くことができる。カバー背面中央上部１３ｃの下縁部１３ｃ１とカバー背面中央下部１３ｄの上縁部１３ｄ１が、スライドファスナＦ２で連結されている部分についても同様である。
【００２４】
また、カバー側部１３ｂの後縁部１３ｂ３は、カバー側部１３ｂを構成する表皮材の延長部１３ｂ３１が折り線１３ｂ３２で右方に（裏面側に）折り返されて形成されている。すなわち、後縁部１３ｂ３と折り線１３ｂ３２とは一致している。そして、複数のエレメント２０は、後縁部１３ｂ３の折り線１３ｂ３２を左右方向に（カバー側部１３ｂの面に垂直な方向に）挟むように取付けられている。これによって、後縁部１３ｂ３に取付けられたそれぞれのエレメント２０の間からカバー側部１３ｂの木端が見えることがなくなり見栄えがさらに向上する。カバー背面側部１３ｅの外縁部１３ｅ１、カバー背面中央上部１３ｃの下縁部１３ｃ１、カバー背面中央下部１３ｄの上縁部１３ｄ１についても同様である。
【００２５】
さらに、カバー側部１３ｂの後縁部１３ｂ３の折り線１３ｂ３２に沿った複数のエレメント２０が取付けられる部分の左右方向幅領域は熱プレスされて薄肉化されている。これによって、カバー側部１３ｂに厚肉の表皮の表皮材やスラブパッドがラミネートされている表皮材を利用した場合においても、スリット２１ａの左右方向の幅を大きくしなくて済むのでエレメント２０の大型化が避けられる。カバー背面側部１３ｅの外縁部１３ｅ１、カバー背面中央上部１３ｃの下縁部１３ｃ１、カバー背面中央下部１３ｄの上縁部１３ｄ１についても同様である。加えて、カバー背面中央上部１３ｃの下縁部１３ｃ１とカバー背面中央下部１３ｄの上縁部１３ｄ１においては、延長部１３ｃ１１と延長部１３ｄ１１の上下方向の幅が長めに設定されて、それぞれの先端部側にポケット裏部１３ｆの両端部が縫製により連結されている。これによって、延長部１３ｃ１１、延長部１３ｄ１１、ポケット裏部１３ｆに囲まれる領域にポケットＰを設けることができ、スライドファスナＦ２の開閉により小物入れとして利用することができる。
【００２６】
図６に本発明の他の実施形態を示す。上記一の実施形態との違いは、カバー側部１３ｂの後縁部１３ｂ３とカバー背面側部１３ｅの外縁部１３ｅ１が、折り線１３ｂ３２や折り線１３ｅ１２でなく切断面になっている点である。これによって、エレメント２０の間からカバー側部１３ｂの木端が見えるおそれはあるが、単に表皮材を裁断するだけでよくエレメント２０のスリット２１ａの中に挿入する部分の肉厚も薄くなるのでバックカバー１３の製造が容易となるとともにエレメントの大型化も抑制できる。
【００２７】
以上、特定の実施形態について説明したが、本発明は、それらの外観、構成に限定されず、本発明の要旨を変更しない範囲で種々の変更、追加、削除が可能である。例えば、次のようなものが挙げられる。
【００２８】
１．上記実施形態においては、ポケットＰをシートバック１０のカバー背面中央上部１３ｃとカバー背面中央下部１３ｄとの間に設けた。しかし、これに限らず、カバー側部１３ｂとカバー背面側部１３ｅとの間に設けてもよいし、シートクッション２の例えばかまち部に設けてもよい。
【００２９】
２．上記実施形態においては、本発明をシートバック１０のバックカバー１３に適用したが、シートクッション２のカバーや、ヘッドレストのカバーに適用することもできる。さらに、本発明を自動車用シートに適用したが、これに限らず、飛行機、鉄道車両、船舶等のシートにも適用することができる。
【符号の説明】
【００３０】
１     自動車用シート（乗物用シート）
１０   シートバック
１３   バックカバー（シートカバー）
１３ｂ カバー側部（少なくとも一部のカバーピース）
１３ｂ３      後縁部（端部）
１３ｂ３１    延長部
１３ｂ３２    折り線
１３ｃ カバー背面中央上部（少なくとも一部のカバーピース）
１３ｃ１      下縁部（端部）
１３ｃ１１    延長部
１３ｃ１２    折り線
１３ｄ カバー背面中央下部（少なくとも一部のカバーピース）
１３ｄ１      上縁部（端部）
１３ｄ１１    延長部
１３ｄ１２    折り線
１３ｅ カバー背面側部（少なくとも一部のカバーピース）
１３ｅ１      外縁部（端部）
１３ｅ１１    延長部
１３ｅ１２    折り線
１３ｆ ポケット裏部（面状体）
２０   エレメント
Ｆ１   スライドファスナ
Ｆ２   スライドファスナ
Ｐ     ポケット
【図１】
2019026192.tif 000003
【図２】
2019026192.tif 000004
【図３】
2019026192.tif 000005
【図４】
2019026192.tif 000006
【図５】
2019026192.tif 000007
【図６】
2019026192.tif 000008